(57)【特許請求の範囲】
【請求項１】
液体原料の貯留槽と、該液体原料の供送量調整手段と、該液体原料の比重測定手段と、を備えた液体原料供送部と、
調整流体の貯留槽と、該調整流体の供送量調整手段と、を備えた調整流体供送部と、
前記液体原料供送部から供送された液体原料が、前記調整流体供送部から供送された調整流体と混合される混合槽と、混合された液体燃料ガスが供出される供出部と、を備えた混合部と、を有し、
前記混合槽において液体原料が低温液体状態で調整流体と混合されるとともに、混合された液体燃料ガスのウォッベ指数が所定値の範囲となるように、前記液体原料の比重測定値を指標とするフィードファード制御によって、前記液体原料の供送量に対応する調整流体の供送量の調整を行うことを特徴とする液体燃料ガスの供給装置。
【請求項２】
前記液体原料供送部における比重測定手段から混合槽までの空間容積をＶａ、前記液体原料の比重をＧａ、前記液体原料の供送流量をＦａ、前記調整流体供送部における供送量調整手段から混合槽までの空間容積をＶｏ、前記調整流体の比重をＧｏ、前記調整流体の供送流量をＦｏとし、前記液体原料と調整流体の各空間容積Ｖａ，Ｖｏでの空塔速度の関係を下式１の条件とし、かつ下式２に係る時間遅れ△Ｔａとするとともに、下式３に示す作製された液体燃料ガスの比重Ｇａｏを基に、該液体燃料ガスの所望の発熱量の範囲に対応するウォッベ指数が所定の範囲となるように、フィードファード制御を行うことを特徴とする請求項１記載の液体燃料ガスの供給装置。
（Ｖａ／Ｆａ）＞（Ｖｏ／Ｆｏ）                      …式１
△Ｔａ＝（Ｖａ／Ｆａ）−（Ｖｏ／Ｆｏ）              …式２
Ｇａｏ＝（Ｆａ×Ｇａ＋Ｆｏ×Ｇｏ）／（Ｆａ＋Ｆｏ）  …式３
【請求項３】
前記貯留槽の液体原料が気化したオフガスまたは他の貯留槽から供出されたオフガスの供送量調整手段と、該オフガスの比重測定手段と、を備えたオフガス供送部を有し、
前記混合槽において液体原料が低温液体状態で調整流体およびオフガスと混合されるとともに、混合された液体燃料ガスのウォッベ指数が所定値の範囲となるように、前記液体原料の比重測定値およびオフガスの比重測定値を指標とするフィードファード制御によって、前記液体原料の供送量に対応する調整流体およびオフガスの供送量の調整を行うことを特徴とする請求項１記載の液体燃料ガスの供給装置。
【請求項４】
前記液体原料供送部における比重測定手段から混合槽までの空間容積をＶａ、前記液体原料の比重をＧａ、前記液体原料の供送流量をＦａ、前記オフガス供送部における比重測定手段から混合槽までの空間容積をＶｂ、前記オフガスの比重をＧｂ、前記オフガスの供送流量をＦｂ、前記調整流体供送部における供送量調整手段から混合槽までの空間容積をＶｏ、前記調整流体の比重をＧｏ、前記調整流体の供送流量をＦｏとし、前記液体原料，オフガスおよび調整流体の各空間容積Ｖａ，Ｖｂ，Ｖｏでの空塔速度の関係を下式１および４の条件とし、かつ下式２および５に係る時間遅れ△Ｔａ，△Ｔｂとするとともに、下式６に示す作製された液体燃料ガスの比重Ｇａｂｏを基に、該液体燃料ガスの所望の発熱量の範囲に対応するウォッベ指数が所定の範囲となるように、フィードファード制御を行うことを特徴とする請求項３記載の液体燃料ガスの供給装置。
（Ｖａ／Ｆａ）＞（Ｖｏ／Ｆｏ）                              …式１
（Ｖｂ／Ｆｂ）＞（Ｖｏ／Ｆｏ）                              …式４
△Ｔａ＝（Ｖａ／Ｆａ）−（Ｖｏ／Ｆｏ）                      …式２
△Ｔｂ＝（Ｖａ／Ｆａ）−（Ｖｏ／Ｆｏ）                      …式５
Ｇａｂｏ＝（Ｆａｂ×Ｇａｂ＋Ｆｏ×Ｇｏ）／（Ｆａｂ＋Ｆｏ）  …式６
ここで、ＦａｂおよびＧａｂは、下式７および８とする。
Ｆａｂ＝Ｆａ＋Ｆｂ                                          …式７
Ｇａｂ＝（Ｆａ×Ｇａ＋Ｆｂ×Ｇｂ）／（Ｆａ＋Ｆｂ）          …式８
【請求項５】
前記比重測定手段から混合槽に繋がる液体原料の供送流路において、所定の容積に設定可能な空間を設け、該空間容積と前記比重測定値を基に、前記調整流体の供送量、または前記調整流体およびオフガスの供送量の調整を行うことを特徴とする請求項１〜４のいずれかに記載の液体燃料ガスの供給装置。
【請求項６】
液体原料の貯留槽から供出され、所望の供送量に調整された後、その比重を測定された液体原料が、低温液体状態で、調整流体の貯留槽から供出され、供送量が制御・調整された調整流体と、混合槽において混合されて液体燃料ガスが作製されるとともに、該液体燃料ガスのウォッベ指数が所定値の範囲となるように、前記液体原料の比重測定値を指標とするフィードファード制御によって、前記調整流体の供送量が調整されることを特徴とする液体燃料ガスの供給方法。
【請求項７】
前記液体原料が、前記調整流体、および前記液体原料の貯留槽または他の貯留槽から供出され、供送量が制御・調整された後、その比重を測定されたオフガスと、混合槽において混合されて液体燃料ガスが作製されるとともに、該液体燃料ガスのウォッベ指数が所定値の範囲となるように、前記液体原料およびオフガスの比重測定値を指標とするフィードファード制御によって、前記調整流体およびオフガスの供送量の供送量が調整されることを特徴とする請求項６記載の液体燃料ガスの供給方法。
【発明の詳細な説明】
【技術分野】
【０００１】
本発明は、液体燃料ガスの供給装置および供給方法に関し、例えば原料となる液化天然ガス（以下「ＬＮＧ」ということがある）の組成変化に対応して発熱量が略均一な液体燃料ガスとして供給可能な供給装置および供給方法に関する。
【背景技術】
【０００２】
天然ガス（ＮＧ）は、輸送や貯蔵の利便性などのため、ＬＮＧタンクに液体原料として貯蔵され、これを気化した燃料ガスが、火力発電用や都市ガス用等多岐にわたり用いられている。ここで、天然ガスの組成は、天然ガスの埋設地に大きく依存していることは広く知られており、天然ガスを使用するに際しては天然ガスの組成を調整する必要がある。昨今世界中で採掘が進められているいわゆるシェールガスにおいても同様である。このとき下式９に示されるウォッベ指数ＷＩ（Ｗｏｂｂｅ  Ｉｎｄｅｘ）が、調整に用いられることがある。
ＷＩ＝Ｈ／（Ｇ）１／２  …式９
また、ウォッベ指数ＷＩは、天然ガスの総発熱量Ｈ（ｋｃａｌ／ｍ３）および比重Ｇによって決まり、ウォッベ指数ＷＩを指標として用いた場合には、供給される天然ガスの組成が変化しても、数値が近いものであればバーナーや燃焼炉等燃焼設備の運転にそれほど影響が与えない。
【０００３】
そのため、例えば発電所のガスタービン等（燃焼設備）に燃料ガスを供給する際に、ガスタービンが追従できる範囲内に燃料ガスの急速な発熱量の変化を緩和して、システムを安全かつスムーズに運転できる熱量制御方法が提案されている。具体的には、図４に示すように、配管１０５を通して液化天然ガスタンク１０１からガスタービン１１３へ、ボイルオフガスが混入された燃料ガスを供給するに際して、配管１０５を流通する該燃料ガスの不連続的な熱量変動を緩和する熱量制御方法であって、熱量計測工程と、熱量変動が生じた際に、配管１０５中で熱量変化が生じる前後の燃料ガスに熱量調整用ガスを供給して、燃料ガスの熱量変化量とほぼ同等の熱量を増減させて変化前の熱量を有するガスとして安定化させた後、供給する熱量調整用ガスの量を減少させていき、一定時間内に熱量調整用ガスの供給を停止する、熱量調整工程と、燃料ガス供給工程と、を含む方法が知られている（例えば、特許文献１参照）。ここで、１０２は気化器、１０３はＢＯＧ圧縮機、１０４はＢＯＧ配管、１０６は熱量測定器、１０７、１０８は流量調整弁、１０９は熱量調整装置、１１０、１１２はホルダー、１１４は熱量計測器を示す。
【先行技術文献】
【特許文献】
【０００４】
【特許文献１】特開２００２−１８８４６０号公報
【発明の概要】
【発明が解決しようとする課題】
【０００５】
しかし、上記のような熱量制御方法では、なお以下のような種々の課題が生じることがあった。
（ｉ）燃焼設備に供給されるＬＮＧ量は、一般に火力発電や都市ガス等の需要変動によって変動することがあり、供給されるＬＮＧが減少した場合においても、燃焼設備の燃焼状態に対して影響を受けないように、発熱量等が安定なＬＮＧを効率よく利用できる装置や方法が要求されている。
（ii）具体的には、ＬＮＧタンクが切り替わり産地の異なるためウォッベ指数が異なるＬＮＧが天然ガスの使用点に供給された場合には、燃焼設備において、不完全燃焼や最悪は逆火による事故に至る可能性もあり、大きな課題となっていた。
（iii）さらに、タンクに貯留された天然ガスは、その取出し時間あるいはタンク内の取出し位置によっても組成変動が生じることがあることから、素早い応答性のある発熱量の制御が可能な装置の開発が望まれていた。
（iｖ）また、天然ガスの組成の測定については、日本工業規格Ｋ２３０１：２０１１「燃料ガス及び天然ガス−分析・試験方法」にあるように、ウォッベ指数を用いる方法が知られているが、窒素ガス等の減熱用ガスを用い、気相の高発熱量の天然ガスに混合した場合（例えば、特許文献１段落０００９参照）、測定されたウォッベ指数と発熱量の相関がずれて正確な発熱量の制御ができないことがあった。
【０００６】
本発明の目的は、供出される燃料ガスが、産地や貯留タンクが異なり、その組成が変動する場合であっても、迅速かつ安定的に燃焼設備に供給される燃料ガスのウォッベ指数を制御し、該燃料ガスの発熱量の変動が少ない液体燃料ガスの供給装置および供給方法を提供することにある。
【課題を解決するための手段】
【０００７】
本発明者らは、上記課題を解決するために鋭意研究を重ねた結果、以下に示す液体燃料ガスの供給装置および供給方法によって上記目的を達成できることを見出し、本発明を完成するに到った。
【０００８】
本発明の液体燃料ガスの供給装置は、液体原料の貯留槽と、該液体原料の供送量調整手段と、該液体原料の比重測定手段と、を備えた液体原料供送部と、
調整流体の貯留槽と、該調整流体の供送量調整手段と、を備えた調整流体供送部と、
前記液体原料供送部から供送された液体原料が、前記調整流体供送部から供送された調整流体と混合される混合槽と、混合された液体燃料ガスが供出される供出部と、を備えた混合部と、を有し、
前記混合槽において液体原料が低温液体状態で調整流体と混合されるとともに、混合された液体燃料ガスのウォッベ指数が所定値の範囲となるように、前記液体原料の比重測定値を指標とするフィードファード制御によって、前記液体原料の供送量に対応する調整流体の供送量の調整を行うことを特徴とする。
【０００９】
また、本発明の液体燃料ガスの供給方法は、液体原料の貯留槽から供出され、所望の供送量に調整された後、その比重を測定された液体原料が、低温液体状態で、調整流体の貯留槽から供出され、供送量が制御・調整された調整流体と、混合槽において混合されて液体燃料ガスが作製されるとともに、該液体燃料ガスのウォッベ指数が所定値の範囲となるように、前記液体原料の比重測定値を指標とするフィードファード制御によって、前記調整流体の供送量が調整されることを特徴とする。
【００１０】
こうした構成によって、燃焼設備に供給される燃料ガスのウォッベ指数を安定的に制御し、該燃料ガスの発熱量の変動が少ない液体燃料ガスの供給を図ることができる。具体的には、液体原料（例えばＬＮＧ）に調整流体（例えば窒素）を混合して液体燃料ガスを作製するに当たり、混合前の液体原料の比重測定値を指標として調整流体の供送量が調整されるフィードファード制御を行うことによって、迅速に精度よく制御することができる。また、所望の発熱量に対応するウォッベ指数が所定値の範囲となるように、比重測定値から該ウォッベ指数を基に演算することによって、迅速かつ安定的に制御することが可能となった。さらに、低温液体状態あるいは過冷却液体状態の液体原料に、調整流体が溶け込む状態で混合されることによって、均一で安定性の高い液体燃料ガスを作製することが可能となった。
【００１１】
本発明は、上記液体燃料ガスの供給装置において、前記液体原料供送部における比重測定手段から混合槽までの空間容積をＶａ、前記液体原料の比重をＧａ、前記液体原料の供送流量をＦａ、前記調整流体供送部における供送量調整手段から混合槽までの空間容積をＶｏ、前記調整流体の比重をＧｏ、前記調整流体の供送流量をＦｏとし、前記液体原料と調整流体の各空間容積Ｖａ，Ｖｏでの空塔速度の関係を下式１の条件とし、かつ下式２に係る時間遅れ△Ｔａとするとともに、下式３に示す作製された液体燃料ガスの比重Ｇａｏを基に、該液体燃料ガスの所望の発熱量の範囲に対応するウォッベ指数が所定の範囲となるように、フィードファード制御を行うことを特徴とする。
（Ｖａ／Ｆａ）＞（Ｖｏ／Ｆｏ）                      …式１
△Ｔａ＝（Ｖａ／Ｆａ）−（Ｖｏ／Ｆｏ）              …式２
Ｇａｏ＝（Ｆａ×Ｇａ＋Ｆｏ×Ｇｏ）／（Ｆａ＋Ｆｏ）  …式３
液体原料への調整流体の混合においては、液体原料が比重測定時から混合槽で混合されるまでの時間と、制御された時から調整流体が実際に混合槽で混合される時までの時間に差があれば、混合流体の均一性に影響を与えることがある。例えば、供送量が増大するように制御された調整流体が、制御の基になった比重測定時に供送された液体原料よりも早く混合槽に到達した場合、混合槽においては制御値よりも濃度の高い調整流体を含む混合流体が形成される。つまり、こうした制御要素の時間ズレによって、発熱量に対してスパイクノイズ様の液体燃料ガスが供給される可能性がある。また、両者の流量の差によって生じる制御要素の立上り特性（例えば９０％立上り時間Ｔ９０）のズレは、こうした時間ズレの影響を増大させる。本発明は、こうした制御要素に影響を与える液体原料と調整流体に係る空間容積を制限するとともに、調整流体の供送量の制御基準を混合槽での混合開始時に設定し、実測の液体原料の比重測定時からのズレを補正することによって、スパイクノイズ様の発生を防止することが可能となった。
【００１２】
本発明に係る液体燃料ガスの供給装置は、前記貯留槽の液体原料が気化したオフガスまたは他の貯留槽から供出されたオフガスの供送量調整手段と、該オフガスの比重測定手段と、を備えたオフガス供送部を有し、
前記混合槽において液体原料が低温液体状態で調整流体およびオフガスと混合されるとともに、混合された液体燃料ガスのウォッベ指数が所定値の範囲となるように、前記液体原料の比重測定値およびオフガスの比重測定値を指標とするフィードファード制御によって、前記液体原料の供送量に対応する調整流体およびオフガスの供送量の調整を行うことを特徴とする。
【００１３】
また、本発明に係る液体燃料ガスの供給方法は、前記液体原料が、前記調整流体、および前記液体原料の貯留槽または他の貯留槽から供出され、供送量が制御・調整された後、その比重を測定されたオフガスと、混合槽において混合されて液体燃料ガスが作製されるとともに、該液体燃料ガスのウォッベ指数が所定値の範囲となるように、前記液体原料およびオフガスの比重測定値を指標とするフィードファード制御によって、前記調整流体およびオフガスの供送量の供送量が調整されることを特徴とする。
【００１４】
貯留槽内のＬＮＧ等の液体原料は、供送に伴い液相とは異なる組成の気相（ボイルオフガスＢＯＧ：以下「オフガス」という）が発生する。こうしたオフガスは、液相の減少とともに徐々に増量し、その組成が変化する。例えば、ＬＮＧの場合にはメタン（ＣＨ４）成分が多くなり、後述する表１に示すように、オフガスはＬＮＧに比較して小さな発熱量を有する。また、ＬＰＧの場合にはプロパン（Ｃ３Ｈ８）成分が多いオフガスの場合には、オフガスはＬＰＧに比較して小さな発熱量を有し、ブタン（Ｃ４Ｈ１０）成分が多いオフガスの場合には、オフガスはＬＰＧに比較して大きな発熱量を有する。本発明は、液体燃料ガスの作製に当たり、別途液体原料に混合する調整流体を備えるとともに、調整流体の一部としてオフガスを使用することによって、所望の発熱量を広い範囲で調整することを可能とした。後述するように、例えば、ＬＮＧを液体原料とし、メタンを主成分とするオフガスとして用い、窒素を調整流体として用いた場合には、ＬＮＧの大きな発熱量の増加変動に対して、両者が発熱量減量方向に機能し効率的に調整することが可能となる。また、ＬＰＧを液体原料とし、ブタンを主成分とするオフガスを発熱量増量用に用い、窒素を調整流体として発熱量減量用として用いた場合には、ＬＰＧの大きな発熱量の変動に対して、発熱量増減両方向に調整することが可能となる。
【００１５】
本発明は、上記液体燃料ガスの供給装置において、前記液体原料供送部における比重測定手段から混合槽までの空間容積をＶａ、前記液体原料の比重をＧａ、前記液体原料の供送流量をＦａ、前記オフガス供送部における比重測定手段から混合槽までの空間容積をＶｂ、前記オフガスの比重をＧｂ、前記オフガスの供送流量をＦｂ、前記調整流体供送部における供送量調整手段から混合槽までの空間容積をＶｏ、前記調整流体の比重をＧｏ、前記調整流体の供送流量をＦｏとし、前記液体原料，オフガスおよび調整流体の各空間容積Ｖａ，Ｖｂ，Ｖｏでの空塔速度の関係を下式１および４の条件とし、かつ下式２および５に係る時間遅れ△Ｔａ，△Ｔｂとするとともに、下式６に示す作製された液体燃料ガスの比重Ｇａｂｏを基に、該液体燃料ガスの所望の発熱量の範囲に対応するウォッベ指数が所定の範囲となるように、フィードファード制御を行うことを特徴とする。
（Ｖａ／Ｆａ）＞（Ｖｏ／Ｆｏ）                              …式１
（Ｖｂ／Ｆｂ）＞（Ｖｏ／Ｆｏ）                              …式４
△Ｔａ＝（Ｖａ／Ｆａ）−（Ｖｏ／Ｆｏ）                      …式２
△Ｔｂ＝（Ｖｂ／Ｆｂ）−（Ｖｏ／Ｆｏ）                      …式５
Ｇａｂｏ＝（Ｆａｂ×Ｇａｂ＋Ｆｏ×Ｇｏ）／（Ｆａｂ＋Ｆｏ）  …式６
ここで、ＦａｂおよびＧａｂは、下式７および８とする。
Ｆａｂ＝Ｆａ＋Ｆｂ                                          …式７
Ｇａｂ＝（Ｆａ×Ｇａ＋Ｆｂ×Ｇｂ）／（Ｆａ＋Ｆｂ）          …式８
上記のように、液体燃料ガスの作製に当たり、液体原料に混合する調整流体の一部としてオフガスを使用することができる。このとき、オフガスの液体原料および調整流体への混合条件は、上記のように制御要素に対する影響を与えないように設定する必要がある。本発明は、液体原料への調整流体の混合条件を基本とし、さらにオフガスと調整流体の混合に係る空間容積を制限するとともに、調整流体およびオフガスの供送量の制御基準を混合槽での混合開始時に設定し、実測の液体原料の比重測定時からのズレを補正することによって、スパイクノイズ様の発生を防止することが可能となった。
【００１６】
本発明は、上記液体燃料ガスの供給装置であって、前記比重測定手段から混合槽に繋がる液体原料の供送流路において、所定の容積に設定可能な空間を設け、該空間容積と前記比重測定値を基に、前記調整流体の供送量、または前記調整流体およびオフガスの供送量の調整を行うことを特徴とする。
調整流体または調整流体およびオフガスの液体原料への混合条件は、上記のように制御要素に対する影響を与えないように設定する必要がある。本発明は、液体原料への調整流体の混合条件を基本とし、調整流体または調整流体およびオフガスの混合に係る空間容積を制限し、比重測定手段から混合槽に繋がる液体原料の供送流路において、所定の容積に設定可能な空間を設けるとともに、調整流体およびオフガスの供送量の制御基準を混合槽での混合開始時に設定し、実測の液体原料の比重測定時からの時間的・空間的ズレを補正することによって、スパイクノイズ様の発生を防止することが可能となった。
【図面の簡単な説明】
【００１７】
【図１】本発明に係る液体燃料ガスの供給装置の基本構成例を示す概略図
【図２】本発明に係る液体燃料ガスの供給装置の第２構成例を示す概略図
【図３】本発明に係る液体燃料ガスの供給装置の第３構成例を示す概略図
【図４】従来技術に係る熱量制御システムの構成例を示す概略図
【発明を実施するための形態】
【００１８】
＜液体燃料ガスの供給装置の構成＞
本発明に係る液体燃料ガスの供給装置（以下「本装置」という）は、液体原料の貯留槽と、液体原料の供送量調整手段と、液体原料の比重測定手段と、を備えた液体原料供送部と、調整流体の貯留槽と、調整流体の供送量調整手段と、を備えた調整流体供送部と、液体原料供送部から供送された液体原料が、調整流体供送部から供送された調整流体と混合される混合槽と、混合された液体燃料ガスが供出される供出部と、を備えた混合部と、を有し、混合槽において液体原料が低温液体状態で調整流体と混合されるとともに、混合された液体燃料ガスのウォッベ指数が所定値の範囲となるように、液体原料の比重測定値を指標とするフィードファード制御によって、液体原料の供送量に対応する調整流体の供送量の調整を行うことを特徴とする。以下、本発明の実施の形態について、図面を参照しながら説明する。なお、各部の温度、圧力、流量などの条件は、ガスの種類や流量等、その他の条件に応じて適宜変更することができる。
【００１９】
〔本装置の基本構成〕
本装置の基本構成の概要を、図１に例示する。本装置は、液体原料の貯留槽１１と、液体原料の供送量調整手段１２と、液体原料の比重測定手段１３と、を備えた液体原料供送部１０と、調整流体の貯留槽２１と、該調整流体の供送量調整手段２２と、を備えた調整流体供送部２０と、液体原料供送部１０から供送された液体原料が、調整流体供送部２０から供送された調整流体と混合される混合槽３１と、混合された液体燃料ガスが供出される供出部３２と、を備えた混合部３０と、を有する。貯留槽１１から供出された液体原料（例えばＬＮＧ）は、供送量調整手段１２によって所望の供送量が調整され、比重測定手段１３によって比重を測定された後、低温液体状態で混合槽３１に導入される。貯留槽２１から供出された調整流体（例えば窒素）は、供送量調整手段２２によって液体原料の供送量に対応する供送量に調整され、混合槽３１に導入される。混合槽３１においては、低温液体状態を維持したまま液体原料に調整流体が混合され、所望の発熱量を有する液体燃料ガスとして供出部３２から供出される。低温液体状態あるいは過冷却液体状態の液体原料に、調整流体が溶け込む状態で混合されることによって、均一で安定性の高い液体燃料ガスを作製することができる。なお、図１においては、液体原料供送部１０の比重測定手段１３の下流および調整流体供送部２０の供送量調整手段２２の下流に、逆流防止等観点から各々バルブ１４および２４を備えた構成を例示したが、これらを省いた構成とすることが可能である。
【００２０】
また、本装置は、混合された液体燃料ガスのウォッベ指数ＷＩが所定値の範囲となるように、液体原料の比重測定値を指標とするフィードファード制御によって、液体原料の供送量に対応する調整流体の供送量の調整が行われる。図１に例示するように、本装置の制御に必要な入力および出力を制御部４０において集中的に管理する構成が好ましい。制御部４０では、供送量調整手段１２，２２からの供送量信号および比重測定手段１３からの比重測定値信号の入力を受け、供送量調整手段１２，２２への供送量制御信号が出力される。また、本装置に適用する制御方法は、混合のベースとなる混合前の液体原料の比重測定値を指標として、フィードファード制御を行うことが好ましい。液体原料の組成の変化を迅速に把握し、直ちに調整することによって、下流段での変化に対する影響を大きく低減することができる。また、比重測定値を指標とすることによって、液体燃料ガスの所望の発熱量の範囲に対応するウォッベ指数ＷＩを所定の範囲となるように調整することができる。
【００２１】
液体原料は、本実施形態では、主としてＬＮＧの場合を例示することがあるが、液化石油ガス（ＬＰＧ）や液化ブタンガス等の他の液体原料にも同様にして適用することができる。調整流体は、所望の発熱量の液体燃料ガスを作製するために、液体原料よりも低い発熱量または高い発熱量を有し、かつ液体原料と均一に混合する特性を有する流体であり、液体原料が低温液体状態で混合されることが好ましい。過冷却状態の液体原料に溶解し混合することによって、非常に均一性の高い安定した液体燃料ガスを作製することができる。例えば液体原料がＬＮＧの場合、低い発熱量を有する流体として、窒素や水素，メタン，二酸化炭素，空気あるいはアルゴン等を用いることでき、高い発熱量を有する流体として、プロパンやＬＰＧ等を用いることできる。液体原料がＬＰＧの場合、低い発熱量を有する流体として、窒素や水素等を用いることでき、高い発熱量を有する流体として、ブタン等を用いることできる。また、単一物質ではなくこれらのいくつかを混合して用いることができる。下表１に、典型的な燃料成分の熱的特性（高発熱量，ウォッベ指数）およびガス比重を示す。貯留槽１１，２１に低温高圧条件下で貯留される。
【００２２】
【表１】
0006430805.tif 000002
【００２３】
〔ウォッベ指数について〕
本装置においては、混合された液体燃料ガスのウォッベ指数が所定値の範囲となるように、液体原料の比重測定値を指標とするフィードファード制御によって、液体原料の供送量に対応する調整流体の供送量の調整を行うことを特徴とする。このとき、例えばＬＮＧを液体原料として使用する場合においては、日本工業規格Ｋ２３０１：２０１１「燃料ガス及び天然ガス−分析・試験方法」の適用に際して、各国産のＬＮＧの組成の大きな相違に適した制御方法が必要となる。本装置は、発熱量の変動が少ない液体燃料ガスを作製することができ、迅速かつ安定的に制御することができる。
【００２４】
具体的には、作製された液体燃料ガスの比重Ｇａｏは、調整流体（比重Ｇｏ）の供送量Ｆｏ，供送量調整手段１２からの液体原料の供送量Ｆａおよび比重測定手段１３からの比重測定値Ｇａを基に、下式３に示す演算式で求められる。
Ｇａｏ＝（Ｆａ×Ｇａ＋Ｆｏ×Ｇｏ）／（Ｆａ＋Ｆｏ）                …式３
このとき、液体燃料ガスのウォッベ指数Ｗａは、所望の発熱量Ｈａと上記比重Ｇａｏを基に、下式３ａに示す演算式で求められる。
Ｗａ＝Ｈａ／√（Ｇａｏ）  →  Ｈａ２＝Ｗａ２×Ｇａｏ              …式３ａ
従って、液体燃料ガスの所望の発熱量Ｈａ，これに対応するウォッベ指数Ｗａに対する調整流体の供送量Ｆｏの関係は、下式３ｂに示す演算式で求められる。
Ｈａ２＝Ｗａ２×（Ｆａ×Ｇａ＋Ｆｏ×Ｇｏ）／（Ｆａ＋Ｆｏ）        …式３ｂ
以上から、調整流体の供送量Ｆｏを、下式３ｃに基づき、液体原料の比重Ｇａを指標として制御することによって、該液体燃料ガスの所望の発熱量の範囲に対応するウォッベ指数が所定の範囲となるように調整することができる。
Ｆｏ＝（Ｈａ２×Ｆａ−Ｗａ２×Ｆａ×Ｇａ）／（Ｗａ２×Ｇｏ−Ｈａ２）  …式３ｃ
【００２５】
〔混合条件について〕
本装置においては、液体燃料ガス（混合流体）の均一性を確保することが非常に重要であり、そのために、液体原料が比重測定時から混合槽で混合されるまでの時間と、制御された時から調整流体が実際に混合槽で混合される時までの時間の差に伴う制御のズレを補正する必要がある。例えば、供送量が増大するように制御された調整流体が、制御の基になった比重測定時に供送された液体原料よりも早く混合槽に到達した場合、混合槽においては制御値よりも濃度の高い調整流体を含む混合流体が形成される。また、両者の流量の差によって生じる制御要素の立上り特性（例えば９０％立上り時間Ｔ９０）のズレは、こうした時間ズレの影響を増大させる。こうしたズレは、組成の異なる液体原料への切換や使用に伴う貯留槽内での組成の変化等により生じることから、その影響を補正することによって、制御要素の時間ズレによって生じるスパイクノイズ様の混合流体の形成を防止することができる。
【００２６】
具体的には、液体原料供送部１０における比重測定手段１３から混合槽３１までの空間容積をＶａ、液体原料の比重をＧａ、液体原料の供送流量をＦａ、調整流体供送部２０における供送量調整手段２２から混合槽３１までの空間容積をＶｏ、調整流体の比重をＧｏ、調整流体の供送流量をＦｏとし、液体原料と調整流体の各空間容積Ｖａ，Ｖｏでの空塔速度の関係を下式１の条件とし、かつ下式２に係る時間遅れ△Ｔａとし、フィードファード制御を行う。
（Ｖａ／Ｆａ）＞（Ｖｏ／Ｆｏ）                      …式１
△Ｔａ＝（Ｖａ／Ｆａ）−（Ｖｏ／Ｆｏ）              …式２
下式１は、制御要素に影響を与える液体原料と調整流体に係る空間容積Ｖａ,Ｖｏを制限することによって、スパイクノイズ様の発生を防止することができる。また、調整流体の供送量の制御基準を混合槽３１での混合開始時に設定し、実測の液体原料の比重測定時からのズレを補正することによって、スパイクノイズ様の発生を防止することが可能となった。
【００２７】
〔混合条件に係るシミュレーションについて〕
上記液体原料と調整流体に係る空間容積Ｖｏ,Ｖａの差異および該空間を液体原料と調整流体が通過する時間の差異に伴う影響を、混合された液体燃料ガスのウォッベ指数の変動としてシミュレーションを行った。
（ｉ）検証条件
空間容積Ｖｏに液体原料としてＬＮＧを約７３２６Ｌ／ｍｉｎ（圧力約０．７ＭＰａ）、空間容積Ｖａに調整流体として窒素を約５８３０Ｌ／ｍｉｎ（圧力約０．７ＭＰａ）供送し、上式１および式２の条件の有無による混合後のウォッベ指数の変動について、シミュレーションを行った。
（ii）検証結果
両者を対比すると、ウォッベ指数の変動として約５０％低減することができた。
【００２８】
〔本装置を用いた液体燃料ガスの供給方法〕
本装置を用いた液体燃料ガスの供給方法は、以下の工程から構成される。
（１）液体原料が、貯留槽１１から供出され、所望の供送量に調整され、その比重が測定された後、混合槽３１に導入される。
（２）調整流体が、貯留槽２１から供出され、混合槽３１に導入される。
（３）このとき、その供送量は、上記（１）において測定された比重を指標としたフィードファード制御によって調整される。具体的には、要求される液体燃料ガスの発熱量に対応し、ウォッベ指数が所定値の範囲となるように調整される。
（４）混合槽３１内において、導入された液体原料が、低温液体状態または過冷却液体状態で、供送量が制御・調整されて導入された調整流体と混合される。
（５）混合槽３１において混合されて作製された液体燃料ガスが、供出部３２から供出される。
【００２９】
＜本装置の他の構成例（第２構成例）＞
本装置の他の１の構成例（第２構成例）の概要を、図２に示す。第２構成例では、基本構成例の構成に加え、貯留槽１１の液体原料が気化したオフガスまたは他の貯留槽から供出されたオフガスが貯留される貯留槽５１と、オフガスの供送量調整手段５２と、オフガスの比重測定手段５３と、バルブ５４（基本構成例同様省略可）を備えたオフガス供送部５０を有し、混合槽３１において液体原料が低温液体状態で調整流体およびオフガスと混合され、液体燃料ガスが作製される。作製された液体燃料ガスは、供出部３２を介して供出される。液体燃料ガスの作製に当たり、液体原料に混合する調整流体の一部としてオフガスを使用することによって、所望の発熱量を広い範囲で調整することができる。
【００３０】
ここで、オフガスとは、ＬＮＧ等の液体原料の貯留槽内において発生する気相成分をいい、液相とは異なる組成を有し、ボイルオフガス（ＢＯＧ）という。こうしたオフガスは、液体原料の供送に伴い液相とは異なる組成を形成し、液相の減少とともに徐々に増量し、それに伴い、さらにその組成が変化する。例えば、液体原料がＬＮＧの場合、オフガスは、ＬＮＧに比較して小さな発熱量を有するメタン（ＣＨ４）成分が多くなる。従って、例えば、ＬＮＧを液体原料とし、メタンを主成分とするオフガスとして用い、調整流体として窒素を用いた場合、オフガスが増量するＬＮＧ組成の変動に伴う発熱量の減量に対して、窒素の混合量を減量することによって迅速に発熱量を増加させることができ、精度の高い発熱量の調整を行うことができる。一方、液体原料がＬＰＧの場合、オフガスは、プロパン（Ｃ３Ｈ８）やブタン（Ｃ４Ｈ１０）が主成分のＬＰＧに比較して大きな発熱量を有するプロパンの比率が高くなり、これをオフガスとして用い、オフガスが増量するＬＰＧ組成の変動に伴う発熱量の増量に対して、窒素の混合量を増量することによって迅速に発熱量を減量させることができ、精度の高い発熱量の調整を行うことができる。また、ＬＮＧあるいはＬＰＧ自体の発熱量の変動に対しても、オフガスと窒素の混合量を調整することによって精度の高い発熱量の調整を行うことができる。つまり、ＬＮＧの発熱量の増量変動に対して、オフガスおよび／または窒素の混合量を増量することによって迅速に発熱量を減量させることができ、ＬＮＧの発熱量の減量変動に対して、オフガスおよび／または窒素の混合量を減量することによって迅速に発熱量を増量させることができる。また、ＬＰＧの発熱量の増量変動に対して、オフガスの混合量を減量および／または窒素の混合量を増量することによって迅速に発熱量を減量させることができ、ＬＰＧの発熱量の減量変動に対して、オフガスの混合量を増量および／または窒素の混合量を減量することによって迅速に発熱量を増量させることができる。
【００３１】
具体的には、ウォッベ指数５４．０（ＭＪ／Ｎｍ３）の液体燃料ガスが所望され、ウォッベ指数５５．０（ＭＪ／Ｎｍ３）のＬＮＧを２００ｔ／ｈ用いた場合について、下表２に例示する。メタンを主成分としウォッベ指数５３．２（ＭＪ／Ｎｍ３）のオフガス（ＢＯＧ）１００ｔ／ｈが混合された場合（Ｃａｓｅ−１）、窒素２．４５ｔ／ｈを混合させることによって、実現することができる。同様の条件で、オフガスが混合されない場合（Ｃａｓｅ−２）、必要とされる窒素は、４．４５ｔ／ｈとなる。
【００３２】
【表２】
0006430805.tif 000003
【００３３】
また、ＬＮＧにおけるオフガスは、炭化水素としてメタンのみに近い組成であり、比重計測によってオフガスの発熱量を推定することができ、調整流体の流量設定における計算の基として必要となる。しかしながら、本発明の検証過程において、オフガス中には窒素が混入している場合があるとの知見を得た。従って、ウォッベ指数を制御し、供給される液体燃料ガスの発熱量を安定させるためには、オフガス中に含まれる窒素成分に対応した調整流体の混合量の調整が必要となる。具体的には、以下のような関係が成立し、ＬＮＧにオフガスを混合する場合、オフガス中に混入している窒素の影響を考慮する必要がある。オフガス中の窒素の混入量が多い場合には、実質的に調整流体である窒素の過剰混合により、所望の発熱量の減量を招来するおそれがある。これを防ぐために、オフガス中の窒素の混入量を、オフガスの比重測定値Ｇｆを利用して特定する。オフガス中のメタンのモル比率をＹｍ，窒素の比重をＧｎ（空気の比重を１とする），メタンの比重をＧｍ，メタンの発熱量をＨｍ［ＫＪ／Ｎｍ３］とすると、オフガスの発熱量Ｈｆ［ＫＪ／Ｎｍ３］は、下式９ａ〜９ｃに示すようになる。
Ｇｆ＝Ｇｎ×（１−Ｙｍ）＋Ｇｍ×Ｙｍ  …式９ａ
Ｙｍ＝（Ｇｎ−Ｇｆ）／（Ｇｎ−Ｇｍ）  …式９ｂ
Ｈｆ＝Ｈｍ×Ｙｍ                      …式９ｃ
【００３４】
〔ウォッベ指数について〕
第２構成例において、混合された液体燃料ガスのウォッベ指数が所定値の範囲となるように、液体原料の比重測定値およびオフガスの比重測定値を指標とするフィードファード制御によって、液体原料の供送量に対応する調整流体の供送量およびオフガスの供送量の調整を行う。
【００３５】
具体的には、オフガスの比重をＧｂ、オフガスの供送流量をＦｂとした場合、作製された液体燃料ガスの比重Ｇａｂｏは、調整流体（比重Ｇｏ）の供送量Ｆｏ，液体原料の供送量Ｆａおよび比重測定値Ｇａ，オフガスの供送量Ｆｂおよび比重測定値Ｇｂを基に、下式６に示す演算式で求められる。
Ｇａｂｏ＝（Ｆａｂ×Ｇａｂ＋Ｆｏ×Ｇｏ）／（Ｆａｂ＋Ｆｏ）      …式６
ここで、ＦａｂおよびＧａｂは、下式７および８とする。
Ｆａｂ＝Ｆａ＋Ｆｂ                                              …式７
Ｇａｂ＝（Ｆａ×Ｇａ＋Ｆｂ×Ｇｂ）／（Ｆａ＋Ｆｂ）              …式８
このとき、液体燃料ガスのウォッベ指数Ｗｂは、所望の発熱量Ｈｂと上記比重Ｇａｂｏを基に、下式６ａに示す演算式で求められる。
Ｗｂ＝Ｈｂ／√（Ｇａｂｏ）  →  Ｈｂ２＝Ｗｂ２×Ｇａｂｏ          …式６ａ
従って、液体燃料ガスの所望の発熱量Ｈｂ，これに対応するウォッベ指数Ｗｂに対する調整流体の供送量Ｆｏの関係は、下式６ｂに示す演算式で求められる。
Ｈｂ２＝Ｗｂ２×（Ｆａｂ×Ｇａｂ＋Ｆｏ×Ｇｏ）／（Ｆａｂ＋Ｆｏ）  …式６ｂ
以上から、調整流体の供送量Ｆｏを、下式６ｃに基づき、液体原料の比重Ｇａを指標として制御することによって、該液体燃料ガスの所望の発熱量の範囲に対応するウォッベ指数が所定の範囲となるように調整することができる。
Ｆｏ＝（Ｈｂ２×Ｆａｂ−Ｗｂ２×Ｆａｂ×Ｇａｂ）／（Ｗｂ２×Ｇｏ−Ｈｂ２）
…式６ｃ
ここで、ＦａｂおよびＧａｂは、上式７および８とする。
【００３６】
〔混合条件について〕
第２構成例において、液体原料供送部１０における比重測定手段１３から混合槽３１までの空間容積をＶａ、液体原料の比重をＧａ、液体原料の供送流量をＦａ、オフガス供送部５０における比重測定手段５３から混合槽３１までの空間容積をＶｂ、オフガスの比重をＧｂ、オフガスの供送流量をＦｂ、調整流体供送部２０における供送量調整手段２２から混合槽３１までの空間容積をＶｏ、調整流体の比重をＧｏ、調整流体の供送流量をＦｏとし、前記液体原料，オフガスおよび調整流体の各空間容積Ｖａ，Ｖｂ，Ｖｏでの空塔速度の関係を下式１および４の条件とし、かつ下式２および５に係る時間遅れ△Ｔａ，△Ｔｂとし、フィードファード制御を行う。
（Ｖａ／Ｆａ）＞（Ｖｏ／Ｆｏ）                              …式１
（Ｖｂ／Ｆｂ）＞（Ｖｏ／Ｆｏ）                              …式４
△Ｔａ＝（Ｖａ／Ｆａ）−（Ｖｏ／Ｆｏ）                      …式２
△Ｔｂ＝（Ｖｂ／Ｆｂ）−（Ｖｏ／Ｆｏ）                      …式５
下式１，４は、制御要素に影響を与える液体原料と調整流体およびオフガスに係る空間容積Ｖａ，Ｖｏ,Ｖｂを制限することによって、スパイクノイズ様の発生を防止することができる。また、調整流体の供送量の制御基準を混合槽３１での混合開始時に設定し、実測の液体原料の比重測定時およびオフガスの比重測定時からのズレを補正することによって、スパイクノイズ様の発生を防止することが可能となった。
【００３７】
〔第２構成例に係る液体燃料ガスの供給方法〕
第２構成例に係る液体燃料ガスの供給方法は、以下の工程から構成される。
（１）液体原料が、貯留槽１１から供出され、所望の供送量に調整され、その比重が測定された後、混合槽３１に導入される。
（２）オフガスが、貯留槽５１から供出され、所望の供送量に調整され、その比重が測定された後、混合槽３１に導入される。
（３）調整流体が、貯留槽２１から供出され、混合槽３１に導入される。
（４）このとき、その供送量は、上記（１）および（２）において測定された比重を指標としたフィードファード制御によって調整される。具体的には、要求される液体燃料ガスの発熱量に対応し、ウォッベ指数が所定値の範囲となるように調整される。
（５）混合槽３１内において、導入された液体原料が、低温液体状態または過冷却液体状態で、供送量が制御・調整されて導入された調整流体と混合される。
（６）混合槽３１において混合されて作製された液体燃料ガスが、供出部３２から供出される。
【００３８】
〔本装置の第３構成例〕
本装置の第３構成例の概要を、図３に示す。第３構成例は、基本構成例に加えて、比重測定手段１３から混合槽３１に繋がる液体原料の供送流路において、所定の容積に設定可能な空間１５を設けることを特徴とする。これによって、空間１５の容積を調整しながら比重測定値を基に、調整流体の供送量の調整を行うことができる。なお、図示しないが、本構成を第２構成例に適用した場合には、調整流体の供送量に加えてオフガスの供送量の調整をも行うことができる。上記〔混合条件について〕に示したように、調整流体または調整流体およびオフガスの液体原料への混合条件は、上記のように制御要素に対する影響を与えないように設定する必要がある。特に調整流体およびオフガスの液体原料への混合には、３つの流体の混合条件を調整する必要があり、固定された空間容積を制限するだけでは、液体原料の組成変換が大きい場合には、調整に限界がある。最も供送量の大きな液体原料の供送流路に所定の容積に設定可能な空間１５を設けることによって、実測時の時間的・空間的ズレを補正することによって、より効果的にスパイクノイズ様の発生を防止することができる。
【００３９】
以上、各構成例について、各説明図を基に説明したが、本装置あるいは本液化装置は、これらに限定されず、その構成要素の組合せあるいは関連する公知の構成要素との組合せを含む広い概念で構成されるものである。
【符号の説明】
【００４０】
１０        液体原料供送部
１１，２１  貯留槽
１２，２２  供送量調整手段
１３        比重測定手段
１４，２４  バルブ
２０        調整流体供送部
３０        混合部
３１        混合槽
３２        供出部
４０        制御部
【図１】
0006430805.tif 000004
【図２】
0006430805.tif 000005
【図３】
0006430805.tif 000006
【図４】
0006430805.tif 000007